(57)【要約】      （修正有）【課題】図柄表示装置では実現できない映像表現も可能な演出表示装置は、主に特別図柄の変動表示に係る演出に用いられ、普通図柄の変動表示に係る演出表示を行う場合も、切り換え表示を行うだけで、普通図柄変動〜当たり図柄確定表示〜普通電動役物拡開〜普通電動役物へ入賞〜特別図柄変動〜大当たり図柄確定表示〜大当たり発生という一連の大当たりの発生過程の中での一過程という捉え方はされておらず、互いの表示に関連性を持たせることはされていない。【解決手段】普通図柄表示装置の確定図柄内容、普通電動役物への入賞の有無、特別図柄表示装置の確定図柄内容といった大当たり発生過程の各段階での結果によって、演出表示を枝分かれさせるようにして、演出表示装置の演出状況だけで、普通図柄と普通電動役物と特別図柄が関わる大当たりの進捗状況がどこまで進行しているか容易に把握できるようにする。【選択図】図１２
2009189456.tif 000002
【特許請求の範囲】
【請求項１】
遊技盤面上の所定領域通過した遊技球を検出する遊技球通過検出手段と、
該遊技球通過検出手段が遊技球を検出したことに基づいて当たり或いはハズレかを判定する当たり判定手段と、
該当たり判定手段の当たり判定に対応する当たり図柄とハズレ判定に対応するハズレ図柄を表示可能な普通図柄表示装置と、
普通図柄が変動を開始してから前記当たり判定手段の判定結果に対応する図柄が確定表示されるまでの普通図柄所要時間を決定する普通図柄表示所要時間決定手段と、
前記遊技球通過検出手段が遊技球を検出したことを普通図柄作動契機として、前記普通図柄表示装置の普通図柄の変動制御を行う普通図柄表示制御手段と、
遊技球の入賞不可能な状態と入賞可能な状態とに変換可能な普通電動役物と、
変動を開始した前記普通図柄表示装置に前記普通図柄所要時間が経過して所定の当たり図柄が確定表示された場合に、前記普通電動役物を遊技球の入賞不可能な状態から所定期間入賞可能な状態に拡開制御する普通電動役物制御手段と、
前記普通図柄表示装置に所定の当たり図柄が確定表示された後、所定の有効時間が満了するまでの間を検出対象時間として前記普通電動役物へ入賞した入賞球を検出する普通電動役物入賞球検出手段と、
該普通電動役物入賞球検出手段が遊技球を検出したことに基づいて大当たり或いはハズレかを判定する大当たり判定手段と、
該大当たり判定手段の大当たり判定に対応する大当たり図柄とハズレ判定に対応するハズレ図柄を表示可能な特別図柄表示装置と、
特別図柄が変動を開始してから前記大当たり判定手段の判定結果に対応する図柄が確定表示されるまでの特別図柄所要時間を決定する特別図柄表示所要時間決定手段と、
前記普通電動役物入賞球検出手段が遊技球を検出したことを特別図柄作動契機として、前記特別図柄表示装置の特別図柄の変動制御を行う特別図柄表示制御手段と、
遊技球の入賞不可能な状態から入賞可能な状態とに変換可能な特別電動役物と、
該特別電動役物へ入賞した入賞球を検出する特別電動役物入賞球検出手段と、
変動を開始した前記特別図柄表示装置に前記特別図柄所要時間が経過して所定の大当たり図柄が確定表示された場合に、前記特別電動役物を遊技球の入賞不可能な状態から入賞可能な状態に拡開制御を開始し、所定期間が経過する或いは前記特別電動役物入賞球検出手段が規定個数の入賞球を検出すると入賞可能な状態に拡開制御を終了する特別電動役物制御手段、
大当たり遊技として、所定回数繰り返して前記特別電動役物制御手段に前記特別電動役物を入賞可能な状態に拡開制御させる大当たり制御手段と、
前記普通図柄表示装置及び前記特別図柄表示装置とは別体の表示装置で構成され、前記普通図柄或いは前記特別図柄に係る演出表示と、前記大当たり遊技に係る演出表示と、前記普通図柄或いは前記特別図柄が変動しておらず、且つ、前記普通電動役物或いは前記特別電動役物が拡開制御されていない変動待ち状態に係る演出表示とを表示する演出表示装置と、
該演出表示装置での演出表示を制御する演出表示制御手段と、
を備えたパチンコ遊技機において、
前記特別図柄表示装置の特別図柄作動契機を拡開された前記普通電動役物へ遊技球が入賞することのみに制限するとともに、
前記当たり判定手段の判定結果がハズレの場合には、前記普通図柄表示所要時間決定手段が決定した普通図柄所要時間が経過すると、前記当たり判定手段の判定結果がハズレであることを遊技者に示唆して演出表示が終了するハズレ普通図柄演出表示態様を選択するハズレ普通図柄演出表示態様選択手段と、
前記当たり判定手段の判定結果が当たりの場合には、前記普通図柄表示所要時間決定手段が決定した普通図柄所要時間に前記検出対象時間を加えた合計時間を表示時間として、且つ、前記普通図柄所要時間が経過すると、前記当たり判定手段の判定結果が当たりであることを遊技者に示唆する当たり普通図柄演出表示態様を選択する当たり普通図柄演出表示態様選択手段と、
前記普通電動役物入賞球検出手段が前記検出対象時間内に入賞球を検出しなかった場合には、演出表示中の前記当たり普通図柄演出表示態様に引き続いて行われる演出表示態様であって、前記検出対象時間が経過すると、前記普通電動役物入賞球検出手段が前記検出対象時間内に入賞球を検出しなかったことを示唆して演出表示が終了する非入賞演出表示態様を選択する非入賞演出表示態様選択手段と、
前記普通電動役物入賞球検出手段が前記検出対象時間内に入賞球を検出した場合には、演出表示中の前記当たり普通図柄演出表示態様に引き続いて行われる演出表示態様であって、前記検出対象時間が経過すると、前記普通電動役物入賞球検出手段が前記検出対象時間内に入賞球を検出したことを示唆して、演出表示中の当該当たり普通図柄演出表示態様と演出表示が継続可能な入賞演出表示態様を選択する入賞演出表示態様選択手段と、
前記大当たり判定手段の判定結果がハズレの場合には、演出表示中の前記入賞演出表示態様に引き続いて行われる演出表示態様であって、前記特別図柄表示所要時間決定手段が決定した特別図柄所要時間が経過すると、前記大当たり判定手段の判定結果がハズレであることを遊技者に示唆して演出表示が終了するハズレ特別図柄演出表示態様を選択するハズレ特別図柄演出表示態様選択手段と、
前記大当たり判定手段の判定結果が大当たりの場合には、演出表示中の前記入賞演出表示態様に引き続いて行われる演出表示態様であって、前記特別図柄表示所要時間決定手段が決定した特別図柄所要時間が経過すると、前記大当たり判定手段の判定結果が大当たりであることを遊技者に示唆する大当たり特別図柄演出表示態様を選択する大当たり特別図柄演出表示態様選択手段と、
前記大当たり制御手段が前記大当たり遊技を制御する場合は、演出表示中の前記大当たり特別図柄演出表示態様に引き続いて行われる演出表示態様であって、前記大当たり遊技の期間中であることを示唆する大当たり遊技期間中演出表示態様を選択する大当たり遊技期間中演出表示態様選択手段と、を備え、
前記演出表示制御手段は、
前記ハズレ普通図柄演出表示態様選択手段が選択したハズレ普通図柄演出表示態様による演出表示を行う際には、当該ハズレ普通図柄演出表示態様の演出表示が終了することによって今回の演出表示を終了させて、前記変動待ち状態に係る演出表示を開始するように制御し、
前記当たり普通図柄演出表示態様選択手段が選択した当たり普通図柄演出表示態様による演出表示を行う際には、当該当たり普通図柄演出表示態様の演出表示の終了後引き続いて、前記非入賞演出表示態様選択手段が選択した非入賞演出表示態様による演出表示、又は前記入賞演出表示態様選択手段が選択した入賞演出表示態様による演出表示を行うように制御し、
前記非入賞演出表示態様選択手段が選択した非入賞演出表示態様による演出表示を行う際には、当該非入賞演出表示態様の演出表示が終了することによって前記当たり普通図柄演出表示態様から開始された今回の一連の演出表示を終了させて、前記変動待ち状態に係る演出表示を開始するように制御し、
前記入賞演出表示態様選択手段が選択した入賞演出表示態様による演出表示を行う際には、当該入賞演出表示態様の演出表示の終了後引き続いて、前記ハズレ特別図柄演出表示態様選択手段が選択したハズレ特別図柄演出表示態様による演出表示、又は前記大当たり特別図柄演出表示態様選択手段が選択した大当たり特別図柄演出表示態様による演出表示を行うように制御し、
前記ハズレ特別図柄演出表示態様選択手段が選択したハズレ特別図柄演出表示態様による演出表示を行う際には、当該ハズレ特別図柄演出表示態様の演出表示が終了することによって前記当たり普通図柄演出表示態様から開始された今回の一連の演出表示を終了させて、前記変動待ち状態に係る演出表示を開始するように制御し、
前記大当たり特別図柄演出表示態様選択手段が選択した大当たり特別図柄演出表示態様による演出表示を行う際には、当該大当たり特別図柄演出表示態様の演出表示の終了後引き続いて、前記大当たり遊技期間中演出表示態様選択手段が選択した大当たり遊技期間中演出表示態様による演出表示を行うように制御し、当該大当たり遊技期間中演出表示態様の演出表示が終了することによって前記当たり普通図柄演出表示態様から開始された今回の一連の演出表示を終了させて、前記変動待ち状態に係る演出表示を開始するように制御することを特徴とするパチンコ遊技機。
【請求項２】
前記演出表示制御手段が前記変動待ち状態に係る演出表示を制御中であるか否かを判定する変動待ち演出制御中判定手段と、
該変動待ち演出制御中判定手段が前記変動待ち状態に係る演出表示を制御中であると判定している場合に限り、最初に成立した前記普通図柄作動契機を有効とする普通図柄作動契機成立制限手段とを備えたことを特徴とする請求項１に記載のパチンコ遊技機。
【発明の詳細な説明】
【技術分野】
【０００１】
本発明は、所定の作動契機成立によって特別図柄図柄表示装置の図柄が変動を開始し、大当たり図柄が確定表示された場合に大当たりとなって特別電動役物（大入賞口）を拡開させるパチンコ遊技機に関し、詳しくは当該特別図柄表示装置の表示結果に対応する演出表示を行う演出表示装置を備えたパチンコ遊技機に関するものである。
【背景技術】
【０００２】
従来、この種のパチンコ遊技機は１種パチンコ遊技機として知られており、特別図柄に大当たり図柄が確定表示され、大当たりが発生するか否かが遊技者の関心事となるため、興趣を盛り上げるため、より大きく、より鮮明に表示できる表示用機器・制御部品や映像表示技術等が特別図柄表示装置に利用され、様々なリーチ演出表現が採用されるようになってきた。しかしながら、特別図柄として表示しながらのリーチ表現には規則がらみで様々な制限があるため、より変化に富んだリーチ演出表現を可能にするため、特別図柄の変動表示を行う特別図柄表示装置とは別に、特別図柄の変動に対応した演出表示を行う演出表示装置を備えるパチンコ遊技機が現れ、図柄表示装置では実現できないような映像表現も演出表示装置であれば可能ということで現在では特別図柄表示装置を備えるパチンコ遊技機では演出表示装置を備えたものが主力となってきている。そしてこの演出表示装置の作動契機、即ち特別図柄表示装置の作動契機は２種類あり、一つは、始動口と称呼される拡開しない入賞口へ入賞することで、他の一つは、普通電動役物へ遊技球が入賞することが認められているが、始動口側の利用が主となり、普通電動役物側は遊技状態に変化をつける時に利用されるが、常時主体的に利用されることはなかった。普通図柄表示装置に当たり図柄が確定表示され、それを契機として拡開された普通電動役物へ遊技球が入賞することが特別図柄表示装置の作動契機として利用され、大当たりを発生させる過程の初期段階を担っているにも拘わらず軽視されがちとなるのは、特別図柄表示装置の作動契機が普通電動役物へ入賞することだけに限られておらず、かつ、大半の遊技期間中においては、普通電動役物へ入賞するか否かが遊技者にとって注目するまでもない状況が作られてきたこともあるが、以前より特別図柄表示装置と普通図柄表示装置は別に設けられてきたが、特別図柄表示装置とは異なり、当たり・ハズレが識別可能とされるだけで、変動途中での当たりに対する演出が可能な表示装置を用いられることもなく、単にＬＥＤの点灯状態違いで表示されることが多かったことによるが、そんな中で、普通図柄の表示領域の方が特別図柄の表示領域よりも大きくして普通図柄に関心を集めるようにしたパチンコ遊技機が提案されている（例えば、特許文献１参照。）。
【０００３】
また、規則上でも特別図柄表示装置と普通図柄表示装置とは明確に働きの異なる２種類の図柄表示装置であり、別々に設けらることが当然とされる中で表示結果に対応して行われる演出表示も２種類の演出表示を別々に行うことが当然としか思い至らず、一つしかない演出表示装置をどちらの図柄に対応させるかという２者択一の判断の中では、より直接的に大当たり発生と結びついた特別図柄に係る演出をすることが優先され、鮮明な画像表現が可能な演出表示装置にて普通図柄に係る演出表示が行わないのが一般的であったが、普通図柄についても演出表示を行うように試み、特別図柄の変動が行われる表示領域の背景画像の変化で普通図柄の表示結果を演出するパチンコ遊技機が提案されている（例えば、特許文献２参照。）。また、普段は、演出表示装置では特別図柄に係る演出表示を行うのではなく変動時間が長く設定された普通図柄に係る演出表示を行うようにし、特別図柄にリーチが発生した場合は特別図柄演出に切り換えるようにしたパチンコ遊技機が提案されている（例えば、特許文献３。）。また、通常遊技状態では特別図柄に係る演出表示を行い、時短遊技状態にでは普通図柄に係る演出表示を行うというように、遊技状態に応じて演出表示装置での演出表示の対象を切り換えるパチンコ遊技機が提案されている（例えば、特許文献４参照。）。
【０００４】
【特許文献１】特開２００３−２４５４３３
【特許文献２】特開２００３−１８１０２８
【特許文献３】特開２００６−１１０１２１
【特許文献４】特開２００６−２８８５１１
【発明の開示】
【発明が解決しようとする課題】
【０００５】
ところで、上記特許文献１に記載されたパチンコ遊技機においては、普通図柄の表示領域を特別図柄の表示領域より大きくしたということで、演出表示を別途行っている訳ではないがＬＥＤの点滅状態よりは普通図柄への注目度を上げることはできても、基本的に特別図柄と普通図柄を別々に表示するだけで、普通図柄当たり〜普通電動役物拡開〜特別図柄当たり〜大当たり発生という一連の大当たり発生過程の中での一過程という捉え方はされておらず、互いの表示に関連性を持たせることはされていない。また、上記特許文献２に記載されたパチンコ遊技機においては、特別図柄表示領域の背景の画像変化を普通図柄の表示結果に対する演出表示として特別図柄の変動を見ながらも普通図柄の結果を認識できるものではあっても、特別図柄の変動表示・確定表示の邪魔にならないように表示しているだけであって、前述の一連の大当たり発生過程の中での一過程という捉え方はされておらず、互いの表示に関連性を持たせることはされていないという問題点があった。
【０００６】
上記特許文献３及び特許文献４に記載されたパチンコ遊技機においては、普通図柄の演出表示中であっても特別図柄の変動態様によっては切換表示を行うようにしたり、遊技状態に応じて普通図柄と特別図柄のどちらの演出表示を主体的に行うかを切り換えるようにしており、パチンコ遊技機として普通図柄や特別図柄とは別に演出表示専用の演出表示装置を備えるようになっているものの、その使用方法は別々に行われる表示を条件によって切り換えるようにしたものにすぎないという問題点があった。
【０００７】
本発明は、上記問題点を解決するためになされたものであり、普通図柄表示装置や特別図柄表示装置の表示結果、普通電動役物への入賞の有無といった大当たり発生過程の各段階での結果によって、大当たりの発生過程に係わる一つの流れを持った演出表示を枝分かれさせるようにして、一つの演出表示装置の演出状況だけで、普通図柄と普通電動役物と特別図柄が関わる大当たりの発生過程がどこまで進行しているか容易に把握できるパチンコ遊技機を提供することを目的とする。
【課題を解決するための手段】
【０００８】
上記目的を達成するため、請求項１の発明においては、
遊技盤面上の所定領域通過した遊技球を検出する遊技球通過検出手段と、
該遊技球通過検出手段が遊技球を検出したことに基づいて当たり或いはハズレかを判定する当たり判定手段と、
該当たり判定手段の当たり判定に対応す当たり図柄とハズレ判定に対応するハズレ図柄を表示可能な普通図柄表示装置と、
普通図柄が変動を開始してから前記当たり判定手段の判定結果に対応する図柄が確定表示されるまでの普通図柄所要時間を決定する普通図柄表示所要時間決定手段と、
前記遊技球通過検出手段が遊技球を検出したことを普通図柄作動契機として、前記普通図柄表示装置の普通図柄の変動制御を行う普通図柄表示制御手段と、
遊技球の入賞不可能な状態と入賞可能な状態とに変換可能な普通電動役物と、
変動を開始した前記普通図柄表示装置に前記普通図柄所要時間が経過して所定の当たり図柄が確定表示された場合に、前記普通電動役物を遊技球の入賞不可能な状態から所定期間入賞可能な状態に拡開制御する普通電動役物制御手段と、
前記普通図柄表示装置に所定の当たり図柄が確定表示された後、所定の有効時間が満了するまでの間を検出対象時間として前記普通電動役物へ入賞した入賞球を検出する普通電動役物入賞球検出手段と、
該普通電動役物入賞球検出手段が遊技球を検出したことに基づいて大当たり或いはハズレかを判定する大当たり判定手段と、
該大当たり判定手段の大当たり判定に対応する大当たり図柄とハズレ判定に対応するハズレ図柄を表示可能な特別図柄表示装置と、
特別図柄が変動を開始してから前記大当たり判定手段の判定結果に対応する図柄が確定表示されるまでの特別図柄所要時間を決定する特別図柄表示所要時間決定手段と、
前記普通電動役物入賞球検出手段が遊技球を検出したことを特別図柄作動契機として、前記特別図柄表示装置の特別図柄の変動制御を行う特別図柄表示制御手段と、
遊技球の入賞不可能な状態から入賞可能な状態とに変換可能な特別電動役物と、
該特別電動役物へ入賞した入賞球を検出する特別電動役物入賞球検出手段と、
変動を開始した前記特別図柄表示装置に前記特別図柄所要時間が経過して所定の大当たり図柄が確定表示された場合に、前記特別電動役物を遊技球の入賞不可能な状態から入賞可能な状態に拡開制御を開始し、所定期間が経過する或いは前記特別電動役物入賞球検出手段が規定個数の入賞球を検出すると入賞可能な状態に拡開制御を終了する特別電動役物制御手段、
大当たり遊技として、所定回数繰り返して前記特別電動役物制御手段に前記特別電動役物を入賞可能な状態に拡開制御させる大当たり制御手段と、
前記普通図柄表示装置及び前記特別図柄表示装置とは別体の表示装置で構成され、前記普通図柄或いは前記特別図柄に係る演出表示と、前記大当たり遊技に係る演出表示と、前記普通図柄或いは前記特別図柄が変動しておらず、且つ、前記普通電動役物或いは前記特別電動役物が拡開制御されていない変動待ち状態に係る演出表示とを表示する演出表示装置と、
該演出表示装置での演出表示を制御する演出表示制御手段と、
を備えたパチンコ遊技機において、
前記特別図柄表示装置の特別図柄作動契機を拡開された前記普通電動役物へ遊技球が入賞することのみに制限するとともに、
前記当たり判定手段の判定結果がハズレの場合には、前記普通図柄表示所要時間決定手段が決定した普通図柄所要時間が経過すると、前記当たり判定手段の判定結果がハズレであることを遊技者に示唆して演出表示が終了するハズレ普通図柄演出表示態様を選択するハズレ普通図柄演出表示態様選択手段と、
前記当たり判定手段の判定結果が当たりの場合には、前記普通図柄表示所要時間決定手段が決定した普通図柄所要時間に前記検出対象時間を加えた合計時間を表示時間として、且つ、前記普通図柄所要時間が経過すると、前記当たり判定手段の判定結果が当たりであることを遊技者に示唆する当たり普通図柄演出表示態様を選択する当たり普通図柄演出表示態様選択手段と、
前記普通電動役物入賞球検出手段が前記検出対象時間内に入賞球を検出しなかった場合には、演出表示中の前記当たり普通図柄演出表示態様に引き続いて行われる演出表示態様であって、前記検出対象時間が経過すると、前記普通電動役物入賞球検出手段が前記検出対象時間内に入賞球を検出しなかったことを示唆して演出表示が終了する非入賞演出表示態様を選択する非入賞演出表示態様選択手段と、
前記普通電動役物入賞球検出手段が前記検出対象時間内に入賞球を検出した場合には、演出表示中の前記当たり普通図柄演出表示態様に引き続いて行われる演出表示態様であって、前記検出対象時間が経過すると、前記普通電動役物入賞球検出手段が前記検出対象時間内に入賞球を検出したことを示唆して、演出表示中の当該当たり普通図柄演出表示態様と演出表示が継続可能な入賞演出表示態様を選択する入賞演出表示態様選択手段と、
前記大当たり判定手段の判定結果がハズレの場合には、演出表示中の前記入賞演出表示態様に引き続いて行われる演出表示態様であって、前記特別図柄表示所要時間決定手段が決定した特別図柄所要時間が経過すると、前記大当たり判定手段の判定結果がハズレであることを遊技者に示唆して演出表示が終了するハズレ特別図柄演出表示態様を選択するハズレ特別図柄演出表示態様選択手段と、
前記大当たり判定手段の判定結果が大当たりの場合には、演出表示中の前記入賞演出表示態様に引き続いて行われる演出表示態様であって、前記特別図柄表示所要時間決定手段が決定した特別図柄所要時間が経過すると、前記大当たり判定手段の判定結果が大当たりであることを遊技者に示唆する大当たり特別図柄演出表示態様を選択する大当たり特別図柄演出表示態様選択手段と、
前記大当たり制御手段が前記大当たり遊技を制御する場合は、演出表示中の前記大当たり特別図柄演出表示態様に引き続いて行われる演出表示態様であって、前記大当たり遊技の期間中であることを示唆する大当たり遊技期間中演出表示態様を選択する大当たり遊技期間中演出表示態様選択手段と、を備え、
前記演出表示制御手段は、
前記ハズレ普通図柄演出表示態様選択手段が選択したハズレ普通図柄演出表示態様による演出表示を行う際には、当該ハズレ普通図柄演出表示態様の演出表示が終了することによって今回の演出表示を終了させて、前記変動待ち状態に係る演出表示を開始するように制御し、
前記当たり普通図柄演出表示態様選択手段が選択した当たり普通図柄演出表示態様による演出表示を行う際には、当該当たり普通図柄演出表示態様の演出表示の終了後引き続いて、前記非入賞演出表示態様選択手段が選択した非入賞演出表示態様による演出表示、又は前記入賞演出表示態様選択手段が選択した入賞演出表示態様による演出表示を行うように制御し、
前記非入賞演出表示態様選択手段が選択した非入賞演出表示態様による演出表示を行う際には、当該非入賞演出表示態様の演出表示が終了することによって前記当たり普通図柄演出表示態様から開始された今回の一連の演出表示を終了させて、前記変動待ち状態に係る演出表示を開始するように制御し、
前記入賞演出表示態様選択手段が選択した入賞演出表示態様による演出表示を行う際には、当該入賞演出表示態様の演出表示の終了後引き続いて、前記ハズレ特別図柄演出表示態様選択手段が選択したハズレ特別図柄演出表示態様による演出表示、又は前記大当たり特別図柄演出表示態様選択手段が選択した大当たり特別図柄演出表示態様による演出表示を行うように制御し、
前記ハズレ特別図柄演出表示態様選択手段が選択したハズレ特別図柄演出表示態様による演出表示を行う際には、当該ハズレ特別図柄演出表示態様の演出表示が終了することによって前記当たり普通図柄演出表示態様から開始された今回の一連の演出表示を終了させて、前記変動待ち状態に係る演出表示を開始するように制御し、
前記大当たり特別図柄演出表示態様選択手段が選択した大当たり特別図柄演出表示態様による演出表示を行う際には、当該大当たり特別図柄演出表示態様の演出表示の終了後引き続いて、前記大当たり遊技期間中演出表示態様選択手段が選択した大当たり遊技期間中演出表示態様による演出表示を行うように制御し、当該大当たり遊技期間中演出表示態様の演出表示が終了することによって前記当たり普通図柄演出表示態様から開始された今回の一連の演出表示を終了させて、前記変動待ち状態に係る演出表示を開始するように制御することを特徴とする。
【０００９】
さらに、請求項２の発明においては、
前記演出表示制御手段が前記変動待ち状態に係る演出表示を制御中であるか否かを判定する変動待ち演出制御中判定手段と、
該変動待ち演出制御中判定手段が前記変動待ち状態に係る演出表示を制御中であると判定している場合に限り、最初に成立した前記普通図柄作動契機を有効とする普通図柄作動契機成立制限手段とを備えたことを特徴とする。
【発明の効果】
【００１０】
請求項１に係る発明においては、普通図柄表示装置と特別図柄表示装置とは別体に演出表示のための演出表示装置を備え、特別図柄の作動契機を普通図柄に当たりが得られた場合に拡開される普通電動役物に遊技球が入賞することに限定して、普通図柄表示装置の作動契機成立を起点とする大当たりが発生するまでの段階的な遊技進行を一本化し、当たり・ハズレの判定、普通電動役物への入賞の有無、大当たり・ハズレの判定等、大当たり発生までにクリアしなければいけない条件をクリアしたか否かについての結果情報を主制御手段側から演出制御手段側に出力し、受け取った演出制御手段側では、大当たり発生までにクリアしなければいけない条件をクリアしたか否かによって演出表示態様を途中で枝分かれさせながら、且つ、各段階毎に選択された演出表示態様を引き継がせなが一つの流れを持つストーリーものとしての演出表示態様となるようにすることで、一つの演出表示装置に表示される演出態様を見るだけで、普通図柄と普通電動役物と特別図柄が関わる大当たりの発生過程がどこまで進行しているか容易に把握できる。さらに、普通図柄に係る演出と特別図柄に係る演出のいずれかを表示したり、切り換え表示する従来技術に比べ、普通図柄・普通電動役物・特別図柄が連繋し合うものであることを遊技者に強く訴求することができ、遊技の興趣を高めることができる。また、普通図柄の図柄変動は、変動開始時点で所要時間経過後に確定表示される図柄が当たりハズレも含めて予め決められているため、図柄変動としては単独で存在しても、当たり図柄が確定表示される場合には、図柄変動に続く普通電動役物の作動時間を含めた合計時間を基準とした演出表示態様を変動開始時点で選択可能となるので、図柄確定表示から役物作動開始をよりスムーズに演出することができる。また、普通電動役物への入賞に係る演出を入賞が発生した時の瞬間的な演出とするのではなく、特別図柄の変動の表示期間中に演出期間をを開始してから早い時期に
【００１１】
請求項２に係る発明においては、客待ち状態の時に限り普通図柄作動契機を有効にするため、特別図柄の作動契機が普通電動役物への入賞に限定されていること相まって、普通図柄と特別図柄のいずれも作動保留記憶を認めず、互いに独立して変動することが可能な普通図柄と特別図柄を、因果関係から普通図柄の変動中であれば絶対に特別図柄が変動することは排除し、新たに客待ち状態にならない限りは、大当たりの発生過程の起点となる普通図柄の変動が開始されないようにした。このように常に大当たりの発生過程が一つの流れしか存在せず、開始された大当たりの発生過程が、普通図柄にハズレ図柄が確定表示された場合、或いは、普通電動役物へ遊技球が入賞できなかった場合、或いは、特別図柄にハズレ図柄が確定表示された場合の流れから外れる事由が発生すれば、その時だけ改めて最初の普通図柄に係る演出表示から開始されるが、外れる事由が生じなければ順次引き継がれて次の段階の演出表示に移行していくので、演出表示装置でのストーリー調演出の進捗状況から大当たりまでの進捗状況を遊技者に分かり易く表示することができる。
【発明を実施するための最良の形態】
【００１２】
本発明の一実施形態のパチンコ遊技機１の主な構成について図１と図２を用いて説明する。図１は、パチンコ遊技機１の外観を正面から見た正面図で、パチンコ遊技機１は、縦長の長方形に形成された外枠２と、外枠２に対してヒンジ３によって開閉可能に取り付けられる内枠４とから構成される。さらに内枠４は複層で構成され、遊技者側に開閉可能なガラスパネル５と球皿パネル６とを上下に備え、背面側の構成として図示しない遊技盤収納枠、及び、同じく図示しないが遊技球の払い出しに係る機構部品等が取り付けられた機構板を備えている。ガラスパネル５の内側には遊技盤７が設けられている。内枠４或いはガラスパネル５を開放する時には、専用鍵を鍵穴８に差し込み、専用鍵の回動操作方向によって開放する側が選択される。但し、図１では便宜上、図２で示す遊技盤７上に形成された遊技領域３０内の構成を空白で示している。
【００１３】
ガラスパネル５は、略楕円形の開口窓部９が形成されており、開口窓部９の背面には着脱自在に２枚のガラスが取り付けられている。また、開口窓部９の周囲は合成樹脂製の装飾パネル１０で囲まれ、装飾パネル１０には演出発光部１１や効果音発音部１２が設けられている。球皿パネル６の中央位置には発射される遊技球を貯留する球皿１３が設けられており、球皿１３の天面には、遊技者が操作することで球貸しが行われる球貸しボタン１４が、左下位置には遊技者が操作することで演出状態の選択を可能とする演出選択操作部１５が、球皿パネル５の右下位置には、図示しない発射装置の発射力を調整するための発射ハンドル１６が設けられている。
【００１４】
外枠２の左側には、パチンコ遊技機１とは別体のＣＲ球貸しユニット２０が、双方向で信号の送受信可能に接続されている。ＣＲ球貸しユニット２０にはパチンコ遊技機との接続状態が正常であるか、球貸しボタン１４の球貸し操作を受け付け可能であるか等の状態を報知する状態報知ランプ２１と、紙幣の挿入口２２と、貸し球数情報が記録されたカードを挿入する挿入口２３と、カードが挿入されていることを報知するカード挿入ランプ２４と、挿入されているカードを返却させる返却ボタン２５が設けられている。
【００１５】
図２は、遊技盤７上に形成された遊技領域３０内の構成の一例を示している。遊技領域３０には、遊技球通過検出手段３１、該遊技球通過検出手段３１が遊技球を検出することを作動契機として普通図柄を表示する普通図柄表示装置３２、該普通図柄表示装置３２に当たり図柄が確定表示された場合に遊技球が入賞しやすいように拡開する普通電動役物３３、該普通電動役物３３へ入賞した遊技球を検出する普通電動役物入賞球検出手段３４、該普通電動役物入賞球検出手段３４が遊技球を検出することを作動契機として特別図柄を表示する特別図柄表示装置３５、該特別図柄表示装置３５に大当たり図柄が確定表示された場合に遊技球が入賞しやすいように拡開する特別電動役物３６、遊技盤７の中央位置には、液晶表示器にて構成され、普通図柄と特別図柄に係る演出表示をはじめとして各種演出表示を表示する演出表示装置３７、複数のＬＥＤ等発光部を備え、遊技の進行に対応した点滅・点灯作動が行われる盤面飾り３８、遊技領域３０に打ち込まれた遊技球のうち普通電動役物３３や特別電動役物３６や図示しない入賞口に入賞しなかった遊技球が流入するアウト口３９が設けられている。
【００１６】
図３は、本発明の一実施形態のパチンコ遊技機１の制御系のブロック図である。遊技球通過検出手段３１からの遊技球の検出信号は、普通図柄作動契機成立制限手段４０１にて当該信号を有効とするか無効とするかを判断され、有効であれば遊技球通過検出手段３１の検出タイミングで抽出された普通図柄当たり乱数の値が当たり値と一致するか否かによって当たりかハズレかを当たり判定手段３１０が判定し、当たり・ハズレの判定結果に対応する普通図柄の変動を開始してから確定表示するまでの所要時間を普通図柄表示所要時間決定手段３２１が決定し、普通図柄表示制御手段３２０は当該決定された時間に基づいて普通図柄表示装置３２の表示を制御する。また、当該時間情報は当たり・ハズレの判定結果情報も含めて演出表示制御手段３７０へ出力され、演出表示制御手段３７０内部のハズレ普通図柄演出表示態様選択手段３２２又は当たり普通図柄演出表示態様選択手段３２３で演出態様が選択され、選択された演出態様に基づいて演出表示制御手段３７０が演出表示装置３７での演出表示が制御される。
【００１７】
普通図柄が当たりの場合は、普通図柄の確定表示されたタイミングを起点として普通電動役物制御手段３３０が普通電動役物３３の拡開制御を開始し、所定の有効時間内に拡開された普通電動役物３３へ入賞した遊技球を検出する普通電動役物入賞球検出手段３４からの検出信号が発生しなければ、演出表示制御手段３７０では、当たり普通図柄演出表示態様選択手段３２３が選択した当たり普通図柄演出表示態様による演出表示に引き続いて、非入賞演出表示態様選択手段３４２が選択した非入賞に対応する演出表示を行い、有効時間内に普通電動役物入賞球検出手段３４からの検出信号が発生すると、当たり普通図柄演出表示態様による演出表示に引き続いて入賞演出表示態様選択手段３４３が選択した入賞に対応する演出表示を行う。大当たり判定手段３４０は普通電動役物入賞球検出手段３４の検出タイミングで抽出された特別図柄大当たり乱数の値が大当たり値と一致するか否かによって大当たりかハズレかを判定し、大当たり・ハズレの判定結果に対応する特別図柄の変動を開始してから確定表示するまでの所要時間を特別図柄表示所要時間決定手段３５１が決定し、特別図柄表示制御手段３５０は、当該決定された時間に基づいて特別図柄表示装置３５の図柄変動表示を制御するとともに、大当たり判定結果情報と特別図柄所要時間情報を演出表示制御手段３７０へ出力する。演出表示制御手段３７０は、入賞演出表示態様選択手段３４３が選択した入賞に対応する演出表示を制御する場合は、引き続き大当たり判定結果によりハズレ特別図柄演出表示態様選択手段３５２或いは大当たり特別図柄演出表示態様選択手段３５３で選択された演出態様に基づいて演出表示を行う。
【００１８】
特別図柄に大当たり図柄が確定表示されると、大当たり制御手段３６０が特別電動役物３６を特別電動役物制御手段３６１を介して繰り返し拡開制御を行うことになるが、併せて特別電動役物３６の拡開制御を開始及び終了するタイミングで当該開始・終了情報を演出表示制御手段３７０へ出力し、演出表示制御手段３７０では、当該開始・終了情報に基づき大当たり遊技期間中演出表示態様選択手段３６３が選択した大当たり遊技期間中演出表示態様に基づいて演出表示を制御する。
【００１９】
演出表示装置３７では、普通図柄の変動状況、停止される普通図柄内容、拡開された普通電動役物への遊技球の入賞状況、特別図柄の変動状況、停止される特別図柄内容、大当たり遊技の進捗状況等、大当たりの発生するまでから終了するまでの各段階に対応した演出を、ストーリー性を有する引き続いた一連の演出として表示するため、途中段階で大当たりとはならずハズレとなった場合は枝分かれして、新たに普通図柄の変動から再開されるが、それまでは並行して演出表示は行わないので、その間は最初の段階となる普通図柄の変動開始、つまりは普通図柄表示装置３２の作動契機となる遊技球通過検出手段３１からの検出信号を作動契機として扱わなくするため、大当たりの発生するまでから終了するまでの各段階に応じて普通図柄表示制御手段３２０、普通電動役物制御手段３３０、普通電動役物入賞球検出手段３４、特別図柄表示制御手段３５０、大当たり制御手段３６０から演出制御中判定手段４００へ制御中である旨伝達され、いずれかが制御中であれば、普通図柄作動契機成立制限手段４０１が遊技球通過検出手段３１からの検出信号を普通図柄表示装置３２の作動契機とは扱わなくさせるため、当たり判定も行われない。
【００２０】
なお、図３では、演出表示制御手段３７０が備える機能を枠囲いして示し、ハズレ普通図柄演出表示態様選択手段３２２、当たり普通図柄演出表示態様選択手段３２３、非入賞演出表示態様選択手段３４２、入賞演出表示態様選択手段３４３、ハズレ特別図柄演出表示態様選択手段３５２、大当たり特別図柄演出表示態様選択手段３５３、大当たり遊技期間中演出表示態様選択手段３６３が備わっている。また、パチンコ遊技機１の全体の遊技進行を制御する主制御手段１００が備える機能を別の枠囲いにて示し、遊技球通過検出手段３１、演出制御中判定手段４００、普通図柄作動契機成立制限手段４０１、当たり判定手段３１０、普通図柄表示所要時間決定手段３２１、普通図柄表示制御手段３２０、普通電動役物制御手段３３０、普通電動役物入賞球検出手段３４、大当たり判定手段３４０、特別図柄表示所要時間決定手段３５１、特別図柄表示制御手段３５０、大当たり制御手段３６０、特別電動役物制御手段３６１が備わっている。
【００２１】
次に、主制御手段１００が実行する遊技進行の制御内容を、図４〜図８を用いて説明する。まず図４は、電源の投入によるセキュリティチェック、初期設定の終了後に開始されるメイン制御処理内容を説明するフローチャートで、周期的に発生する割込み、例えば４ｍｓごとに発生するＣＨ０割込みに基づいて開始され、順番に以下のサブルーチンが実行される。遊技球通過検出手段３１や普通電動役物入賞球検出手段３４等の遊技球を検出する検出手段の検出状況を確認する入力処理（Ｓ１００）、演出表示制御手段３７０への判定結果情報や図示しない賞球払出制御手段への賞球払出情報等、遊技の進行に基づいて関連して制御を行う制御手段へ情報を出力する出力処理（Ｓ２００）、当たり判定手段３１０や大当たり判定手段３４０にて判定に用いる乱数を更新する乱数更新処理（Ｓ３００）、図９を用いて説明する普通図柄制御処理（Ｓ４００）、図１０を用いて説明する特別図柄制御処理（Ｓ５００）、図１１を用いて説明する普通電動役物制御処理（Ｓ６００）、図１２を用いて説明する大当たり制御処理（Ｓ７００）、図示しない振動センサや磁力センサが不適切或いは不正な行為を検出した場合や異常が発生した場合等における措置を行うエラー処理（Ｓ８００）が終了すると、新たなＣＨ０割込みの発生待ちとなる。
【００２２】
図５は、サブルーチンの一つである普通図柄制御処理（Ｓ４００）の処理内容を説明するフローチャートで、大当たり作動フラグ又は特別図柄変動フラグ又は普通電動役物拡開フラグがＯＮ（Ｓ４０１〜Ｓ４０３がＹＥＳ）の場合は、直ちにこのサブルーチンを終了する。普通図柄変動フラグがＯＦＦ（Ｓ４０４がＮＯ）で、遊技球通過検出手段３１が遊技球を検出していれば（Ｓ４０５がＹＥＳ）、その時点での普通図柄当たり乱数の値を抽出する（Ｓ４０６）。抽出した乱数値が当たり値と等しくなければ（Ｓ４０７がＮＯ）ハズレ判定に対応したハズレ図柄を確定表示するまでの所要時間を普通図柄表示所要時間決定手段３２１が選択し（Ｓ４０８）、等しければ（Ｓ４０７がＹＥＳ）当たり判定に対応した所要時間を選択し（Ｓ４０９）、普通図柄当たりフラグをＯＮとする（Ｓ４１０）。そしてＳ４０８・Ｓ４０９で選択された所要時間をセットして普通図柄表示制御手段３２０は普通図柄の変動を開始（Ｓ４１１）し、普通図柄変動フラグをＯＮとする（Ｓ４１２）。Ｓ４０４で普通図柄変動フラグがＯＮ（Ｓ４０４がＹＥＳ）であれば、普通図柄の表示所要時間がタイムアップしているか否かを確認し、タイムアップしていなければ（Ｓ４２０がＮＯ）そのまま変動を継続させ、タイムアップすると（Ｓ４２０がＹＥＳ）当たりか否か確認して、当たりでなければ（Ｓ４２１がＮＯ）普通図柄変動フラグをＯＦＦ（Ｓ４２４）とし、当たりであれば（Ｓ４２１がＹＥＳ）普通電動役物拡開フラグをＯＮ（Ｓ４２２）、普通図柄当たりフラグをＯＦＦ（Ｓ４２３）した後、普通図柄変動フラグをＯＦＦ（Ｓ４２４）する。
【００２３】
大当たり作動フラグと特別図柄変動フラグと普通電動役物拡開フラグと普通図柄変動フラグのいずれかがＯＮになると、Ｓ４０５の遊技球通過検出手段３１による遊技球検出状況の確認に進まず、いずれの判断においてもＯＦＦの状態、即ちパチンコ遊技機１が変動待ち状態にある場合のみ遊技球通過検出手段３１からの検出信号を普通図柄表示装置３２の作動契機として扱うこととなり、Ｓ４０１〜Ｓ４０４が、演出制御中判定手段４００及び普通図柄作動契機成立制限手段４０１を構成する。
【００２４】
次に、普通電動役物制御処理（Ｓ５００）の処理内容を図６を用いて説明する。普通電動役物拡開フラグがＯＮしていなければ（Ｓ５０１がＮＯ）直ちにこのサブルーチンは終了する。普通電動役物拡開フラグがＯＮ（Ｓ５０１がＹＥＳ）でも有効時間が計時中でなければ（Ｓ５０２がＮＯ）普通電動役物拡開時間をセット（Ｓ５０３）し、普通電動役物入賞球検出手段３４の有効時間をセット（Ｓ５０４）して、普通電動役物３３の拡開を開始する。有効時間中の時（Ｓ５１０がＮＯ）に普通電動役物入賞球検出手段３４が入賞球を検出すれば（Ｓ５１２がＹＥＳ）、特別図柄大当たり乱数を抽出して（Ｓ５１３）、特別図柄変動フラグをＯＮさせ（Ｓ５１４）、普通電動役物拡開フラグをＯＦＦ（Ｓ５１５）して終了する。また、有効時間がタイムアップすると（Ｓ５１０がＹＥＳ）、普通電動役物拡開フラグをＯＦＦ（Ｓ５１１）する。
【００２５】
次に、特別図柄制御処理（Ｓ６００）の処理内容を図７を用いて説明する。特別図柄変動フラグがＯＮしていなければ（Ｓ６０１がＮＯ）このサブルーチンは終了し、特別図柄変動フラグがＯＮ（Ｓ６０１がＹＥＳ）であっても特別図柄が変動していなければ（Ｓ６０２がＮＯ）、Ｓ５１３で抽出した特別図柄大当たり乱数値が大当たり値に等しいかの判定をし、等しくなければ（Ｓ６０３がＮＯ）ハズレ判定に対応して特別図柄表示所要時間決定手段３５１が所要時間を選択し（Ｓ６０４）、等しければ（Ｓ６０３がＹＥＳ）大当たり判定に対応して特別図柄表示所要時間決定手段３５１が所要時間を選択し（Ｓ６０５）特別図柄大当たりフラグをＯＮとし（Ｓ６０６）、特別図柄表示制御手段３５０が変動を開始させ、選択された所要時間に基づく制御を開始する。所要時間がタイムアップすると（Ｓ６１０がＹＥＳ）、特別図柄大当たりフラグの状況を確認し、大当たりフラグがＯＮであれば（Ｓ６１１がＹＥＳ）、大当たり作動フラグをＯＮし（Ｓ６１２）、特別図柄大当たりフラグをＯＦＦ（Ｓ６１３）した後、特別図柄変動フラグをＯＦＦする（Ｓ６１４）。所要時間がタイムアップしても大当たりフラグがＯＮされていなければ（Ｓ６１１がＮＯ）特別図柄変動フラグをＯＦＦ（Ｓ６１４）して終了する。
【００２６】
次に、大当たり制御処理（Ｓ７００）の処理内容を図８を用いて説明する。大当たり作動フラグがＯＮしていなければ（Ｓ７０１がＮＯ）このサブルーチンは終了し、大当たり作動フラグがＯＮ（Ｓ７０１がＹＥＳ）であっても大当たりのラウンド数である繰り返し回数が０であれば（Ｓ７０２がＹＥＳ）、まだ大当たり作動は開始されていないこととなるので特別電動役物拡開時間をセットして特別電動役物制御手段３６１による特別電動役物３６の拡開制御を開始させ（Ｓ７０３）、特別電動役物入賞球検出手段３６２が規定数の入賞球、例えば９個の入賞球を検出すれば（Ｓ７０４がＹＥＳ）特別電動役物３６の拡開を終了させ（Ｓ７０５）、繰り返し回数Ｒを１加算する（Ｓ７０６）。そして繰り返し回数Ｒが最大値、例えば１３回になるまで、Ｓ７０４〜Ｓ７０６で示した特別電動役物３６の拡開制御が繰り返される。繰り返し回数Ｒが最大値になると（Ｓ７１０がＹＥＳ）大当たり作動フラグをＯＦＦして（Ｓ７１１）、大当たり作動制御は終了する。
【００２７】
以下、本願要部である大当たりの発生するまでから終了するまでの各段階における演出表示装置３７での演出表示が、主制御手段１００からの各種情報の出力タイミングと出力内容に応じてどのような態様でどれだけの期間行われるについて、図９〜図１２のタイミングチャートを参照しながら説明する。各図に共通したこととして、上段側が主制御手段１００の制御内容・制御タイミングであって、上から下に順に単能の各種制御手段が制御を引き継いで実行し、下段側には、主制御手段１００が備えた各種単能制御手段から出力された情報（矢印で示す）に対応して演出表示制御手段３７０がどのタイミングでどの演出表示態様から異なる種類のどの演出表示態様に引き継ぎなが一つのストリー性のある演出表示を行うかを示している。図９は、遊技球通過検出手段３１が遊技球を検出したことが普通図柄表示装置３２の作動契機として有効とされ、当たり判定手段３１０による当たり判定の結果がハズレの場合の主制御手段１００側の制御内容と演出表示制御手段３７０側で行われる演出表示態様の対応関係を説明する図であり、普通図柄表示所要時間決定手段３２１が決定したハズレに対応した普通図柄が確定表示されるまでの時間に基づいて普通図柄表示制御手段３２０が普通図柄表示装置３２の普通図柄の変動を開始するに合わせて、演出表示装置３７ではハズレ普通図柄演出表示態様選択手段３２２が選択したハズレ普通図柄演出表示態様での演出表示が開始され、ハズレ図柄の確定表示に合わせて、ハズレ普通図柄の演出表示も終了させて、前記変動待ち状態に係る演出表示を開始する。
【００２８】
ハズレ普通図柄演出表示態様の一例として例示すれば、普通図柄表示装置３２の普通図柄の変動開始に合わせて、演出表示装置３７には、変動待ち状態に係る演出表示としての風景画像中に、主人公となるキャラクタが登場し、目的地とされる地点を目指して駆け出し、階段を登るが、ハズレ図柄が確定されるタイミングに合わせて階段を踏み外して転倒させた後退場させ、ハズレ図柄確定に係る演出表示を終了させ、変動待ちとなる風景画像だけに戻す。
【００２９】
図１０は、当たり判定手段３１０による当たり判定の結果が当たりとなって普通電動役物３３が拡開されたにも拘わらず、入賞しなかった場合の主制御手段１００側の制御内容と演出表示制御手段３７０側で行われる演出表示態様の対応関係を説明する説明図であり、普通図柄表示所要時間決定手段３２１が決定した当たりに対応した普通図柄が確定表示されるまでの時間に基づいて普通図柄表示制御手段３２０が普通図柄表示装置３２の普通図柄の変動を開始するに合わせて、演出表示装置３７では当たり普通図柄演出表示態様選択手段３２３が選択した当たり普通図柄演出表示態様での演出表示が開始されるが、この場合入賞か非入賞かの判断の最終リミットは有効時間が満了した時となるので、図９における普通図柄所要時間に相当する時間で演出表示が行われるのではなく、普通図柄所要時間と普通電動役物に係る有効時間を加えたより長い時間に対応する当たり普通図柄演出表示態様を当たり普通図柄演出表示態様選択手段３２３が選択する。演出表示制御手段３７０は当該演出態様による演出表示に、普通電動役物入賞球検出手段３４からの検出信号の有無に関する情報入力に応じた演出をつなげるように制御する。この場合、非入賞であるので、非入賞演出表示態様選択手段３４２が選択した非入賞演出表示態様で演出表示を行って終了させて、前記変動待ち状態に係る演出表示を開始する。
【００３０】
この場合の非入賞演出表示態様を例示すれば、当たり図柄が表示されるに合わせて無事駆け上がるが、先へ進むには穴を跳び越える必要があり、普通電動役物３３が拡開されるに合わせてジャンプするところで主人公目線の空画面に切換え、有効時間経過して非入賞が確定すれば、主人公が穴に落ちてしまっているところで、非入賞に係る演出表示を終了させ、変動待ちとなる風景画像だけに戻す。
【００３１】
図１１は、普通図柄が当たり図柄となり、拡開された普通電動役物３３に遊技球が入賞したが大当たり判定でハズレとなった場合の主制御手段１００側の制御内容と演出表示制御手段３７０側で行われる演出表示態様の対応関係を説明する説明図である。図３と図１１を用いて説明すると、普通図柄の変動開始に合わせて、主制御手段１００から出力された当たり判定結果と普通図柄所要時間情報に基づき、当たり普通図柄演出表示態様選択手段３２３が選択した当たり普通図柄演出表示態様での演出表示が演出表示装置３７で開始されるところまでは図１０と同じ進行をたどるが、有効時間内に普通電動役物入賞球検出手段３４で入賞球が検出されることにより、大当たり判定手段３４０による判定、特別図柄表示所要時間決定手段３５１による特別図柄所要時間の決定がされ、特別図柄表示制御手段３５０が特別図柄表示装置３５において特別図柄の変動表示を開始した時点で、大当たり判定でのハズレ判定結果情報と特別図柄所要時間情報が演出表示制御手段３７０へ出力はされるものの、演出表示装置３７での演出表示内容は、普通電動役物入賞球検出手段３４の有効時間が満了しておらず、普通図柄変動開始段階でセットされた当たり普通図柄演出表示が進行した状態にはあるものの引き継ぎ状態に無いため有効時間が満了、即ちセットされた演出態様が終了するまで継続される。そして有効時間満了に合わせて入賞球が発生したことを演出する入賞演出表示が行われ、続いてハズレ特別図柄演出表示に移行し、特別図柄表示装置３５にてハズレ図柄が確定表示されるタイミングに合わせて演出表示装置３７でのハズレ特別図柄演出表示が終了する。なお、有効時間満了前に、大当たり判定結果情報と特別図柄所要時間情報が送信されてきたことは、普通電動役物３３への入賞球が発生したことに他ならず、大当たり判定結果情報等が送信されたことで入賞球発生情報を代用可能となり、且つ、演出表示の引き継ぎタイミングが有効時間満了時点となるので、入賞球発生情報の送信を省略したが、有効時間満了時点に入賞・非入賞についての結果情報を出力するようにしても良い。
【００３２】
この場合は、主人公の登場、階段の駆け上り、駆け上がったところでジャンプして主人公目線の空画面に切換えるまでは非入賞演出表示態様と同じとなるが、普通電動役物３３に入賞したので、無事跳び越えることができて喜ぶ主人公画像に戻すが、そのタイミングには特別図柄が変動開始されており、特別図柄に係る演出は変動開始より遅れて開始されることになる。その内容の一例としては、跳び越えた先には対戦相手が待っており、特別図柄の変動期間中はバトルをして、ハズレ図柄の確定表示に合わせて主人公の敗北画像で終了させて、前記変動待ち状態に係る演出表示を開始させる。
【００３３】
図１２は、普通図柄表示装置３２の普通図柄が当たり図柄となり、普通電動役物３３への入賞に基づく大当たり判定でも大当たりが得られ、大当たり制御手段３６０が大当たり遊技を制御する場合の主制御手段１００側の制御内容と演出表示制御手段３７０側で行われる演出表示態様の対応関係を説明する説明図である。図３と図１２を用いて説明すると、普通図柄の変動開始に合わせて、主制御手段１００から出力された当たり判定結果と普通図柄所要時間情報に基づき、当たり普通図柄演出表示態様選択手段３２３が選択した当たり普通図柄演出表示態様での演出表示が演出表示装置３７で開始され、普通電動役物入賞球検出手段３４が有効時間内に入賞球を検出したことにより、大当たり判定結果と特別図柄所要時間が演出表示制御手段３７０側に出力され、大当たり特別図柄演出表示態様選択手段３５３にて大当たりに対応した大当たり特別図柄演出表示態様が選択されるが、当該大当たり特別図柄演出表示態様による演出表示の開始タイミングは、当たり普通図柄演出表示態様による演出表示が終了（普通電動役物入賞球検出手段３４の有効時間が満了）し、さらに引き続いて表示される入賞演出表示態様による演出表示が所定時間行われた後に開始される。即ち、特別図柄表示装置３５での特別図柄の変動開始と演出表示装置３７での特別図柄の変動表示に対応した演出表示開始とでは入賞演出表示が行われる時間相当分遅れて開始されるが、大当たり図柄の確定表示に合わせて大当たり特別図柄演出表示も終了し、大当たり制御手段３６０からの大当たり遊技制御開始情報（特別電動役物の拡開制御開始）に基づき大当たり遊技期間中演出表示態様選択手段３６３が選択した大当たり遊技期間中演出表示態様による演出表示に引き継がれ、大当たり遊技制御終了情報に基づき演出表示装置３７での大当たり遊技期間中演出表示も終了させて、前記変動待ち状態に係る演出表示を開始する。
【００３４】
普通図柄の変動開始から大当たりが発生し、終了するまでの一連の演出表示態様の具体例として、普通図柄に当たり図柄が確定表示され、拡開した普通電動役物３３に遊技球が入賞して特別図柄が変動を開始し、特別図柄の変動途中に開始されるバトル演出表示まではハズレ特別図柄演出表示態様と同じタイミングで引き継がれてストーリーが進行するが、変動が停止し大当たり図柄が確定表示されることに合わせて主人公がバトルに勝利した演出画像を表示し、続いて開始される大当たり作動期間中は、繰り返し回数に応じて主人公の生い立ち・エピソード紹介画像等を順次切り替えながら表示するようにし、大当たり作動の終了に合わせて主人公のアップ画像を表示することで大当たり作動に係る演出表示を終了させ、変動待ちに係る演出表示となる風景画像だけに戻る。
【００３５】
また別のパターンとして、例えば、普通図柄の変動に合わせて、複数人のキャラクタの中から一人の指名行為を行い、ハズレでは誰も指名できず、当たりとなれば誰か一人の指名ボックスにスポットライトが照射されるが、非入賞では中からキャラクタが登場せず、入賞した場合だけ指名ボックスに該当するキャラクタが登場するようにして、バトルシーンへ移行させるようにしてもよいし、普通電動役物入賞球検出手段３４が遊技球を検出すると特別図柄が変動開始されるので、大当たり判定手段３４０の判定結果によって、例えば大当たり判定がされた場合には、指名ボックスが示すキャラクタよりも数段バトルの得意なキャラクタを登場させ、バトルに勝利しそうであること、即ち大当たりが発生しそうであることを示唆するようにしても良い。
【００３６】
上記に示した具体的な演出態様は一例であって、ストーリー性のある画像を大当たりへの段階的進行である、普通図柄表示装置３２に確定表示された普通図柄は当たり図柄或いはハズレ図柄、拡開した普通電動役物３３へは入賞したのか或いは非入賞であったのか、特別図柄表示装置３５に確定表示された特別図柄は大当たり図柄或いはハズレ図柄であったのかという大当たり発生までにクリアしなければいけない条件をクリアしたか否かによって途中で枝分かれさせ、枝分かれしたことを遊技者が理解できる内容であれば例示した具体例には限らない。
【産業上の利用可能性】
【００３７】
遊技盤の中央に遊技者の視線を集めるように大画面の演出表示装置が設けられ、普通図柄表示装置と特別図柄表示装置は、遊技者から図柄の変動・停止が判別可能程度に設けられたパチンコ遊技機において好適である。
【図面の簡単な説明】
【００３８】
【図１】パチンコ遊技機１の外観を正面から見た構成を示した説明図である。
【図２】遊技盤７上に形成された遊技領域３０内の全体構成を示した説明図である。
【図３】パチンコ遊技機１の制御系のブロック図である。
【図４】パチンコ遊技機１のメイン制御処理を説明するフロー図である。
【図５】メイン制御処理の中の普通図柄制御処理を説明するフロー図である。
【図６】メイン制御処理の中の普通電動役物制御処理を説明するフロー図である。
【図７】メイン制御処理の中の特別図柄制御処理を説明するフロー図である。
【図８】メイン制御処理の中の大当たり制御処理を説明するフロー図である。
【図９】普通図柄表示装置３２にハズレ図柄が確定表示される場合の演出表示装置３７での演出表示に係る説明図である。
【図１０】普通図柄表示装置３２に当たり図柄が確定表示され、普通電動役物３３が拡開したが非入賞となった場合の時系列な演出表示に係る説明図である。
【図１１】普通電動役物３３に入賞したが、特別図柄表示装置３５にハズレ図柄が確定表示される場合の時系列な演出表示に係る説明図である。
【図１２】特別図柄表示装置３５に大当たり図柄が確定表示され、特別電動役物３６が繰り返し拡開される大当たり遊技となった場合の時系列な演出表示に係る説明図である。
【符号の説明】
【００３９】
３１    遊技球通過検出手段
３２    普通図柄表示装置
３３    普通電動役物
３４    普通電動役物入賞球検出手段
３５    特別図柄表示装置
３６    特別電動役物
３７    演出表示装置
３１０  当たり判定手段
３２０  普通図柄表示制御手段
３３０  普通電動役物制御手段
３４０  大当たり判定手段
３５０  特別図柄表示制御手段
３６０  大当たり制御手段
３７０  演出表示制御手段
４００  演出制御中判定手段
【図１】
2009189456.tif 000003
【図２】
2009189456.tif 000004
【図３】
2009189456.tif 000005
【図４】
2009189456.tif 000006
【図５】
2009189456.tif 000007
【図６】
2009189456.tif 000008
【図７】
2009189456.tif 000009
【図８】
2009189456.tif 000010
【図９】
2009189456.tif 000011
【図１０】
2009189456.tif 000012
【図１１】
2009189456.tif 000013
【図１２】
2009189456.tif 000014